(57)【要約】【課題】  自身で服を着用することが難しい被介護者に対し、介護者が容易に穿かせることができるストッキングを提供する。【解決手段】  本考案に係るストッキング１は、脚部３の後ろ側の左右方向略中央の位置に中央であることを示す位置マーク４が設けられている。【選択図】  図１
0003211225.tif 000002
【実用新案登録請求の範囲】
【請求項１】
脚部の後ろ側の左右方向略中央の位置に中央であることを示す位置マークが設けられていることを特徴とするストッキング。
【請求項２】
前記位置マークが、着用時に使用者の膝裏付近となる位置に設けられていることを特徴とする請求項１に記載のストッキング。
【請求項３】
前記位置マークが、着用時に使用者の太股裏付近となる位置に設けられていることを特徴とする請求項１又は２に記載のストッキング。
【請求項４】
前記位置マークが、着用時に使用者のふくらはぎ付近となる位置に設けられていることを特徴とする請求項１乃至３のいずれか１項に記載のストッキング。
【考案の詳細な説明】
【技術分野】
【０００１】
本考案は、年齢や病気、怪我等のために自身で服を着用することが難しい被介護者に好適なストッキングに関する。
【背景技術】
【０００２】
一般に、ストッキングは着用前の形状にめりはりがなく、その前後もわかりにくいため、例えば特許文献１には、前後位置を識別するための色糸を編み込んだパンティストッキングが記載されている。
【０００３】
また、特許文献２には、着用の際、踵部分より前側を見るだけで足底側と甲側とを区別でき、それによって上下位置を確認しながら、前後位置を正しく保って穿けるパンティストッキングとして、爪先部から踵部間における足底側と甲側のいずれか一方の生地に識別マークを設けたものが記載されている。
【先行技術文献】
【特許文献】
【０００４】
【特許文献１】実開昭６４−２２７１１号公報
【特許文献２】実開平６−４００６号公報
【考案の概要】
【考案が解決しようとする課題】
【０００５】
ところで、病院や高齢者施設等の介護の現場では、年齢や病気、怪我等のために自身で服を着用することが難しい被介護者に対し、介護者がその着用を手伝うことが必要であるが、特に、ストッキングについては、身体への密着度が高いため、被介護者に一回で正しく着用させることができずに穿き直しを要するとなると、介護者の介護業務の効率に支障を来たすばかりか、被介護者に身体的負担を強いることになる。
【０００６】
そして、そのような現場で多く問題になるのは、ストッキングの脚部の捩れであり、特許文献２には、爪先部から踵部間における識別マークで足底側と甲側の上下位置を確認しながら脚部から上の部分を手繰り寄せていくと、使用者の手の癖により脚部が大きく捻じれることがない旨記載されている。
【０００７】
しかしながら、爪先部から踵部間における識別マークで足底側と甲側の上下位置を区別することによって、脚先位置を正しく着用することはできるかもしれないが、その識別マークを確認しながら脚部から上の部分を手繰り寄せる段階において、捩れを防止することができるとはいえない（特許文献２の記載も「大きく捻じれることがない」に止まっている。）。とりわけ介護者が被介護者に着用させる場合には、介護者の手の癖のみならず介護者と被介護者との位置関係や介護者が予期し難い被介護者の身体の動きが重畳的に捩れの原因となるので、たとえ脚先位置が正しく着用されたとしても、その後ストッキングの未着用部分を上方に手繰り寄せるうちに捩れが生じるおそれがある。
【０００８】
本考案は、上記の事情に鑑みてなされたもので、自身で服を着用することが難しい被介護者に対し、介護者が容易に穿かせることができるストッキングを提供することを課題としている。
【課題を解決するための手段】
【０００９】
上記課題を解決するために、本考案に係るストッキングは、脚部の後ろ側の左右方向略中央の位置に中央であることを示す位置マークが設けられていることを特徴とする。
【００１０】
このストッキングでは、脚部の後ろ側の左右方向略中央の位置に中央であることを示す位置マークが設けられているので、介護者が被介護者のストッキングを脚先から順次上方に手繰り寄せる過程で、位置マークが被介護者の脚の左右方向中央に位置するように穿かせれば、脚部の捩れが防止されて穿き直しを要することなく一回で着用が完了し、介護者が被介護者に対して容易に穿かせることが可能となるとともに、被介護者の身体的負担も軽減される。
【００１１】
前記位置マークは、着用時に使用者の膝裏付近となる位置に設けられていても、太股裏付近となる位置に設けられていても、ふくらはぎ付近となる位置に設けられていてもよい。これらの位置のうち複数に位置マークが設けられると、ストッキングを順次上方に手繰り寄せる過程の都度々々で、介護者が正しく着用されているかどうかを確認することが可能となって、被介護者に穿かせることがさらに容易になる。
【考案の効果】
【００１２】
本考案によれば、介護者が被介護者に対してストッキングを容易に穿かせることが可能となり、被介護者の身体的負担も軽減される。
【図面の簡単な説明】
【００１３】
【図１】考案を実施するための形態に係るストッキングを示す背面図である。
【図２】考案を実施するための形態に係るストッキングの他の例を示す背面図である。
【考案を実施するための形態】
【００１４】
本考案を実施するための形態について、図面に基づいて説明する。
【００１５】
図１は、本実施の形態に係るパンティストッキングを示す。このストッキング１は、ポリウレタン等の弾性糸からなり、使用者の腹から股付近までを覆う胴部２と、使用者の脚を覆う二つの脚部３，３とを有する。
【００１６】
脚部３の後ろ側で着用時に使用者の膝裏付近となる箇所の左右方向略中央の位置には、着用時にそこが左右方向の中央であることを示す位置マーク４が設けられている。位置マーク４は、色や模様、図柄、別素材の付着により構成される。
【００１７】
このストッキング１では、脚部３の後ろ側の左右方向略中央の位置に中央であることを示す位置マーク４が設けられているので、介護者が被介護者にストッキング１を穿かせる際に、それを脚先から順次上方に手繰り寄せる過程で、位置マーク４が使用者である被介護者の脚の左右方向中央に位置するように穿かせれば、脚部３の捩れが防止されて穿き直しを要することなく一回で着用が完了する。
【００１８】
したがって、介護者が被介護者に対して容易に穿かせることが可能となり、被介護者の身体的負担も軽減される。
【００１９】
図２は、本実施の形態に係るパンティストッキングの他の例を示し、このストッキング５は、脚部３の後ろ側で着用時に使用者の太股裏付近、ふくらはぎ付近となる箇所の左右方向略中央の位置にも、位置マーク４と同様の位置マーク６，７が設けられているほかは、ストッキング１と同様の構成を有する。
【００２０】
このストッキング５では、着用時に使用者の膝裏付近となる箇所の左右方向略中央に位置する位置マーク４のみならず、着用時に使用者の太股裏付近、ふくらはぎ付近となる箇所の左右方向略中央の位置にも位置マーク６，７が設けられているので、介護者がストッキング５を順次上方に手繰り寄せる過程の都度々々、すなわち、被介護者のすねの位置まで手繰り寄せた時点、膝の位置まで手繰り寄せた時点、及び、太股の位置まで手繰り寄せた時点で、ストッキング５が正しく着用されているかどうかを確認することが可能となって、被介護者にストッキングを穿かせることがさらに容易になる。
【００２１】
以上、本考案を実施するための形態について例示したが、本考案の実施形態は上述したものに限られず、考案の趣旨を逸脱しない範囲で適宜変更等してもよい。
【００２２】
例えば、ストッキング５では、位置マーク４，６，７を点状、離散的に設けたが、脚部３の後ろ側の左右方向略中央の位置に脚部３の長手方向（上下）に延びる縦線を設け、位置マークの代わりとしてもよい。
【符号の説明】
【００２３】
１，５      ストッキング
２          胴部
３          脚部
４，６，７  位置マーク
【図１】
0003211225.tif 000003
【図２】
0003211225.tif 000004